(57)【要約】【課題】測定器具が尿に触れなくとも尿量を簡易的に測定することができるトイレ装置、尿量測定装置、尿量測定方法、プログラム、および尿量測定用添加剤を提供することを目的とする。【解決手段】便器のボウル部に形成された溜水と尿とが混ざった状態の色であって前記尿の量に基づいた色に関する情報を記憶する記憶部と、前記尿が前記ボウル部に排出された後の前記溜水の色に関する情報を前記溜水と非接触の状態で取得する取得部と、前記取得部が取得した色に関する情報と、前記記憶部が記憶した色に関する情報と、に基づいて前記ボウル部に排出された前記尿の量を推測する演算部と、を備えたことを特徴とする尿量測定装置が提供される。【選択図】図１
2016090296.tif 000002
【特許請求の範囲】
【請求項１】
便器のボウル部に形成された溜水と尿とが混ざった状態の色であって前記尿の量に基づいた色に関する情報を記憶する記憶部と、
前記尿が前記ボウル部に排出された後の前記溜水の色に関する情報を前記溜水と非接触の状態で取得する取得部と、
前記取得部が取得した色に関する情報と、前記記憶部が記憶した色に関する情報と、に基づいて前記ボウル部に排出された前記尿の量を推測する演算部と、
を備えたことを特徴とする尿量測定装置。
【請求項２】
前記取得部は、前記便器の前記溜水の量に関する情報をさらに取得することを特徴とする請求項１記載の尿量測定装置。
【請求項３】
前記記憶部と、前記取得部と、前記演算部と、を収納し前記便器に設けられた便蓋よりも小さいケーシングをさらに備えたことを特徴とする請求項１または２に記載の尿量測定装置。
【請求項４】
便器のボウル部に形成された溜水と尿とが混ざった状態の色であって前記尿の量に基づいた色に関する情報を記憶し、
前記尿が前記ボウル部に排出された後の前記溜水の色に関する情報を前記溜水と非接触の状態で取得し、
前記取得部が取得した色に関する情報と、前記記憶部が記憶した色に関する情報と、に基づいて前記ボウル部に排出された前記尿の量を推測することを特徴とする尿量測定方法。
【請求項５】
前記尿が前記ボウル部に排出される前に、前記溜水を着色することを特徴とする請求項４記載の尿量測定方法。
【請求項６】
前記尿が前記ボウル部に排出された後に、前記溜水を攪拌すること特徴とする請求項４または５に記載の尿量測定方法。
【請求項７】
前記便器の前記溜水の量に関する情報をさらに取得することを特徴とする請求項４〜６のいずれか１つに記載の尿量測定方法。
【請求項８】
請求項１〜３のいずれか１つに記載の尿量測定装置であって前記便器が設置される空間に設けられた尿量測定装置と、
前記ボウル部と、
前記ボウル部に前記溜水を形成するトラップ部と、
給水源から供給される水を前記ボウル部に供給する給水流路と、
を備えたことを特徴とするトイレ装置。
【請求項９】
前記給水流路の途中に設けられ、前記尿が前記ボウル部に排出される前に前記溜水を着色する尿量測定用添加剤をさらに備えたことを特徴とする請求項８記載のトイレ装置。
【請求項１０】
前記尿量測定用添加剤は、前記溜水を青色に着色することを特徴とする請求項９記載のトイレ装置。
【請求項１１】
コンピュータに、
便器のボウル部に形成された溜水と尿とが混ざった状態の色であって前記尿の量に基づいた色に関する情報を記憶させ、
前記尿が前記ボウル部に排出された後の前記溜水の色に関する情報を前記溜水と非接触の状態で取得させ、
前記取得部が取得した色に関する情報と、前記記憶部が記憶した色に関する情報と、に基づいて前記ボウル部に排出された前記尿の量を推測させることを特徴とするプログラム。
【請求項１２】
前記コンピュータに、
前記便器の前記溜水の量に関する情報をさらに取得させることを特徴とする請求項１１記載のプログラム。
【請求項１３】
便器のボウル部に形成された溜水と尿とが混ざった状態の色の濃さを表す彩度であって前記尿の量に基づいた彩度に関する情報を記憶し、
前記尿が前記ボウル部に排出された後の前記彩度に関する情報を前記溜水と非接触の状態で取得し、
前記取得部が取得した前記彩度に関する情報と、前記記憶部が記憶した前記彩度に関する情報と、に基づいて前記ボウル部に排出された前記尿の量を前記彩度の低下の度合いにより推測するときに使用される尿量測定用添加剤であって、
前記溜水を前記尿とは異なる色に着色することを特徴とする尿量測定用添加剤。
【請求項１４】
前記溜水を青色に着色することを特徴とする請求項１３記載の尿量測定用添加剤。
【請求項１５】
前記尿量測定用添加剤は、給水源から供給される水を前記ボウル部に供給する給水流路の途中に設けられることを特徴とする請求項１３または１４に記載の尿量測定用添加剤。
【請求項１６】
便器のボウル部に形成された溜水と尿とが混ざった状態の色であって前記尿の量に基づいた色に関する情報を記憶し、
前記尿が前記ボウル部に排出された後の前記溜水の色に関する情報を前記溜水と非接触の状態で取得し、
前記取得部が取得した色に関する情報と、前記記憶部が記憶した色に関する情報と、に基づいて前記ボウル部に排出された前記尿の量を推測するときに使用される尿量測定用添加剤であって、
前記溜水と前記尿とが混ざった状態において前記溜水の中の前記尿の濃度に応じて前記溜水を呈色することを特徴とする尿量測定用添加剤。
【請求項１７】
前記尿に含まれる塩素に反応する物質を有することを特徴とする請求項１６記載の尿量測定用添加剤。
【発明の詳細な説明】
【技術分野】
【０００１】
本発明の態様は、一般的に、尿量測定装置、尿量測定方法、トイレ装置、プログラム、および尿量測定用添加剤に関する。
【背景技術】
【０００２】
例えば病気の治療や健康の管理を目的として、人が排出する尿の量（尿量）を測定することがある。例えば、使用者が洋風大便器に尿を排出したときの溜水の水位の変化を測定し尿量を測定する水位測定装置がある（特許文献１）。特許文献１に記載された水位測定装置は、比較的正確な尿量を測定するため、比較的大きく、比較的高価である。そのため、特許文献１に記載された水位測定装置は、例えば病院などに設置される。
【０００３】
一方で、健康の管理を目的として、外出先や自宅などにおいても尿量を測定したいという要望がある。このような場合に要求される尿量の精度は、特許文献１に記載された水位測定装置に要求される尿量の精度よりも低い。
【０００４】
しかし、特許文献１に記載された水位測定装置は比較的大きいため、使用者が外出先において特許文献１に記載された水位測定装置を使用し尿量を測定することは困難である。また、特許文献１に記載された水位測定装置を自宅の既存の便器に設置（後付け）することは困難である。
【０００５】
特許文献１に記載された水位測定装置では、溜水の水位の変化を測定する水位形成管に尿が混入することがある。そのため、水位形成管を定期的に清掃する必要がある。しかし、水位形成管は便器に対して別体として接続されているため、自宅のトイレルームにおいて水位形成管を清掃することは困難である。
【０００６】
特許文献１に記載された水位測定装置ではなく、例えばビーカーなどを用いて尿量を測定する場合においても、人が尿量を測定するたびにビーカーを清掃する必要がある。このように、ビーカーなどの既存の測定器具などを用いて尿量を測定する場合には、その測定器具は尿に触れる必要がある。尿が付着した測定器具の清掃には、煩わしさがある。また、女性の外性器の形状を考慮すると、女性が排出する全ての尿をビーカーで採取することは難しく、その心労的な煩わしさも大きい。
【先行技術文献】
【特許文献】
【０００７】
【特許文献１】特開２０１２−２３７１８７号公報
【発明の概要】
【発明が解決しようとする課題】
【０００８】
本発明は、かかる課題の認識に基づいてなされたものであり、測定器具が尿に触れなくとも尿量を簡易的に測定することができるトイレ装置、尿量測定装置、尿量測定方法、プログラム、および尿量測定用添加剤を提供することを目的とする。
【課題を解決するための手段】
【０００９】
第１の発明は、便器のボウル部に形成された溜水と尿とが混ざった状態の色であって前記尿の量に基づいた色に関する情報を記憶する記憶部と、前記尿が前記ボウル部に排出された後の前記溜水の色に関する情報を前記溜水と非接触の状態で取得する取得部と、前記取得部が取得した色に関する情報と、前記記憶部が記憶した色に関する情報と、に基づいて前記ボウル部に排出された前記尿の量を推測する演算部と、を備えたことを特徴とする尿量測定装置である。
【００１０】
この尿量測定装置によれば、測定器具が尿に触れなくとも尿量を簡易的に測定することができる。
【００１１】
第２の発明は、第１の発明において、前記取得部は、前記便器の前記溜水の量に関する情報をさらに取得することを特徴とする尿量測定装置である。
【００１２】
この尿量測定装置によれば、自宅の便器だけではなく外出先の便器を使用した場合でも、便器間の差異を考慮して尿量の測定結果を補正することができる。すなわち、便器間の差異によらず、精度よく尿量を測定することができる。
【００１３】
第３の発明は、第１または２の発明において、前記記憶部と、前記取得部と、前記演算部と、を収納し前記便器に設けられた便蓋よりも小さいケーシングをさらに備えたことを特徴とする尿量測定装置である。
【００１４】
この尿量測定装置によれば、使用者は、尿量測定装置を持ち運ぶことができる。これにより、使用者は、外出するときに尿量測定装置を携帯し、外出先で尿量を測定することができる。
【００１５】
第４の発明は、便器のボウル部に形成された溜水と尿とが混ざった状態の色であって前記尿の量に基づいた色に関する情報を記憶し、前記尿が前記ボウル部に排出された後の前記溜水の色に関する情報を前記溜水と非接触の状態で取得し、前記取得部が取得した色に関する情報と、前記記憶部が記憶した色に関する情報と、に基づいて前記ボウル部に排出された前記尿の量を推測することを特徴とする尿量測定方法である。
【００１６】
この尿量測定方法によれば、測定器具が尿に触れなくとも尿量を簡易的に測定することができる。
【００１７】
第５の発明は、第４の発明において、前記尿が前記ボウル部に排出される前に、前記溜水を着色することを特徴とする尿量測定方法である。
【００１８】
この尿量測定方法によれば、溜水を着色しない場合と比較して、溜水を着色することにより尿量の推測の精度を向上させることができる。
【００１９】
第６の発明は、第４または５の発明において、前記尿が前記ボウル部に排出された後に、前記溜水を攪拌すること特徴とする尿量測定方法である。
【００２０】
この尿量測定方法によれば、溜水を攪拌しない場合と比較して、溜水の色の変化をより明確に区別することができる。そのため、尿量の推測の精度を向上させることができる。
【００２１】
第７の発明は、第４〜６のいずれか１つの発明において、前記便器の前記溜水の量に関する情報をさらに取得することを特徴とする尿量測定方法である。
【００２２】
この尿量測定方法によれば、専用の便器でなくとも使用者が排出した尿の量を推測することができる。
【００２３】
第８の発明は、第１〜３のいずれか１つの発明の尿量測定装置であって前記便器が設置される空間に設けられた尿量測定装置と、前記ボウル部と、前記ボウル部に前記溜水を形成するトラップ部と、給水源から供給される水を前記ボウル部に供給する給水流路と、を備えたことを特徴とするトイレ装置である。
【００２４】
このトイレ装置によれば、尿量測定装置があれば、専用の便器でなくとも使用者が排出した尿の量を推測することができる。
【００２５】
第９の発明は、第８の発明において、前記給水流路の途中に設けられ、前記尿が前記ボウル部に排出される前に前記溜水を着色する尿量測定用添加剤をさらに備えたことを特徴とするトイレ装置である。
【００２６】
このトイレ装置によれば、溜水を着色しない場合と比較して、溜水を着色することにより尿量の推測の精度を向上させることができる。
【００２７】
第１０の発明は、第９の発明において、前記尿量測定用添加剤は、前記溜水を青色に着色することを特徴とするトイレ装置である。
【００２８】
このトイレ装置によれば、尿の色に近い黄色は、色相環において青色と補色の関係にある。そのため、尿は、青色に着色された溜水を他の色に着色された溜水と比較して薄めやすい。これにより、溜水の色の変化を区別しやすいため、尿量の推測の精度をさらに向上させることができる。
【００２９】
第１１の発明は、コンピュータに、便器のボウル部に形成された溜水と尿とが混ざった状態の色であって前記尿の量に基づいた色に関する情報を記憶させ、前記尿が前記ボウル部に排出された後の前記溜水の色に関する情報を前記溜水と非接触の状態で取得させ、前記取得部が取得した色に関する情報と、前記記憶部が記憶した色に関する情報と、に基づいて前記ボウル部に排出された前記尿の量を推測させることを特徴とするプログラムである。
【００３０】
このプログラムによれば、測定器具が尿に触れなくとも尿量を簡易的に測定することができる。
【００３１】
第１２の発明は、第１１の発明において、前記コンピュータに、前記便器の前記溜水の量に関する情報をさらに取得させることを特徴とするプログラムである。
【００３２】
このプログラムによれば、専用の便器でなくとも使用者が排出した尿の量を推測することができる。
【００３３】
第１３の発明は、便器のボウル部に形成された溜水と尿とが混ざった状態の色の濃さを表す彩度であって前記尿の量に基づいた彩度に関する情報を記憶し、前記尿が前記ボウル部に排出された後の前記彩度に関する情報を前記溜水と非接触の状態で取得し、前記取得部が取得した前記彩度に関する情報と、前記記憶部が記憶した前記彩度に関する情報と、に基づいて前記ボウル部に排出された前記尿の量を前記彩度の低下の度合いにより推測するときに使用される尿量測定用添加剤であって、前記溜水を前記尿とは異なる色に着色することを特徴とする尿量測定用添加剤である。
【００３４】
この尿量測定用添加剤によれば、測定器具が尿に触れなくとも尿量を簡易的に測定することができる。また、溜水を着色しない場合と比較して、溜水を着色することにより尿量の推測の精度を向上させることができる。
【００３５】
第１４の発明は、第１３の発明において、前記溜水を青色に着色することを特徴とする尿量測定用添加剤である。
【００３６】
この尿量測定用添加剤によれば、尿の色に近い黄色は、色相環において青色と補色の関係にある。そのため、尿は、青色に着色された溜水を他の色に着色された溜水と比較して薄めやすい。これにより、溜水の色の変化を区別しやすいため、尿量の推測の精度をさらに向上させることができる。
【００３７】
第１５の発明は、第１３または１４の発明において、前記尿量測定用添加剤は、給水源から供給される水を前記ボウル部に供給する給水流路の途中に設けられることを特徴とする尿量測定用添加剤である。
【００３８】
この尿量測定用添加剤によれば、溜水は、満遍なく着色される。これにより、溜水の色の変化を区別しやすいため、尿量の推測の精度をさらに向上させることができる。
【００３９】
第１６の発明は、便器のボウル部に形成された溜水と尿とが混ざった状態の色であって前記尿の量に基づいた色に関する情報を記憶し、前記尿が前記ボウル部に排出された後の前記溜水の色に関する情報を前記溜水と非接触の状態で取得し、前記取得部が取得した色に関する情報と、前記記憶部が記憶した色に関する情報と、に基づいて前記ボウル部に排出された前記尿の量を推測するときに使用される尿量測定用添加剤であって、前記溜水と前記尿とが混ざった状態において前記溜水の中の前記尿の濃度に応じて前記溜水を呈色することを特徴とする尿量測定用添加剤である。
【００４０】
この尿量測定用添加剤によれば、測定器具が尿に触れなくとも尿量を簡易的に測定することができる。また、呈色される溜水の色を検出することにより、尿量の推測の精度を向上させることができる。
【００４１】
第１７の発明は、第１６の発明において、前記尿に含まれる塩素に反応する物質を有することを特徴とする尿量測定用添加剤である。
【００４２】
この尿量測定用添加剤によれば、尿に含まれる塩素に反応することで呈色される溜水の色を検出することにより、尿量の推測の精度を向上させることができる。
【発明の効果】
【００４３】
本発明の態様によれば、測定器具が尿に触れなくとも尿量を簡易的に測定することができる尿量測定装置、尿量測定方法、トイレ装置、プログラム、および尿量測定用添加剤が提供される。
【図面の簡単な説明】
【００４４】
【図１】本発明の実施の形態にかかるトイレ装置を表す模式的斜視図である。
【図２】図１に表した切断面Ａ−Ａにおける模式的断面図である。
【図３】本実施形態にかかる尿量測定装置を表す模式的平面図である。
【図４】本実施形態にかかる尿量測定装置を表すブロック図である。
【図５】本実施形態の尿量測定装置の測定原理を説明する模式的断面図である。
【図６】本実施形態にかかる尿量測定方法を表すフローチャート図である。
【図７】本実施形態にかかる他の尿量測定方法を表すフローチャート図である。
【図８】本発明者が行った検討の結果の一例を表す表である。
【図９】ダミー尿の量に対するＢ（青）のヒストグラムの平均値を表すグラフ図である。
【図１０】本発明者が行った他の検討の結果の一例を表す表である。
【図１１】ダミー尿の量に対する各色および輝度のヒストグラムの平均値を表すグラフ図である。
【図１２】本発明者が行ったさらに他の検討の結果の一例を表す表である。
【図１３】給水量に対する各色および輝度のヒストグラムの平均値を表すグラフ図である。
【図１４】本発明者が行ったさらに他の検討の結果の一例を表す表である。
【図１５】給水量に対する各色および輝度のヒストグラムの平均値を表すグラフ図である。
【発明を実施するための形態】
【００４５】
以下、本発明の実施の形態について図面を参照しつつ説明する。なお、各図面中、同様の構成要素には同一の符号を付して詳細な説明は適宜省略する。  
図１は、本発明の実施の形態にかかるトイレ装置を表す模式的斜視図である。  
図２は、図１に表した切断面Ａ−Ａにおける模式的断面図である。  
図１では、説明の便宜上、便蓋および便座を省略している。
【００４６】
本実施形態にかかるトイレ装置１００は、洋風大便器（以下、単に「便器」と称する。）１１０と、ロータンク１２０と、尿量測定装置（コンピュータ）２００と、を備える。  便器１１０は、ボウル部１１１と、トラップ部１１５と、を有する。ボウル部１１１は、使用者が排出した尿を受ける。トラップ部１１５は、ボウル部１１１に接続され、排出された尿などを図示しない排水管に排出する。トラップ部１１５は、ボウル部１１１に溜水１１３を形成し、例えば排水管から悪臭や害虫類などがトイレルーム内に侵入することを防止する。
【００４７】
図２に表したように、便蓋１４１および便座１４３は、便器１１０の上面１１７において便器１１０に対して開閉自在に軸支されている。
【００４８】
本願明細書においては、通常使用状態において便座に座った使用者からみて前方を「前方」とし、通常使用状態において便座に座った使用者からみて後方を「後方」とする。また、便座に座った使用者からみて上方を「上方」とし、便座に座った使用者からみて下方を「下方」とする。また、後方を向いて便器１１０の前に立った使用者からみて右側を「右側方」とし、後方を向いて便器１１０の前に立った使用者からみて左側を「左側方」とする。
【００４９】
ロータンク１２０は、便器１１０の上面１１７に設けられている。ロータンク１２０は、ロータンク本体１２１と、ロータンク蓋１２２と、を有し、ロータンク本体１２１の内部に洗浄水を貯留する。ロータンク本体１２１の内部には、開閉弁１２７が設けられている。ロータンク本体１２１は、開閉弁１２７が閉じた状態において洗浄水を貯留することができる。
【００５０】
ロータンク蓋１２２には、スパウト１２４が設けられている。ロータンク蓋１２２の下端部には、孔１２５が設けられている。図示しない給水源から供給された水は、スパウト１２４から吐出され、ロータンク蓋１２２の上面に導かれる。ロータンク蓋１２２の上面に導かれた水は、孔１２５を通り、ロータンク本体１２１の内部へ流れる。開閉弁１２７が閉じている場合には、ロータンク本体１２１の内部へ流れた水は、ボウル部１１１を洗浄する洗浄水としてロータンク本体１２１の内部に貯留される。
【００５１】
ロータンク本体１２１とボウル部１１１との間には、配管１３１が設けられている。配管１３１の一端は、ロータンク本体１２１の下端部に接続されている。配管１３１の他端は、ボウル部１１１に接続されている。
【００５２】
例えば、使用者が洗浄ハンドル１２８（図１参照）を回転させると、図示しない玉鎖などが開閉弁１２７を引き上げる。すると、ロータンク本体１２１の内部に貯留された洗浄水は、配管１３１を通りボウル部１１１に供給される。これにより、ロータンク１２０および配管１３１は、給水源から供給された水をボウル部１１１に供給する給水流路を形成する。
【００５３】
給水流路の途中には、本実施形態にかかる尿量測定用添加剤３０１が設けられている。
図１および図２に表した例では、尿量測定用添加剤３０１は、ロータンク蓋１２２の上面に設けられている。但し、尿量測定用添加剤３０１の設置形態は、図１および図２に表した例には限定されない。例えば、尿量測定用添加剤３０１は、尿量測定装置２００に設けられていてもよい。あるいは、尿量測定用添加剤３０１は、溜水１１３に投入されてもよい。この場合には、尿量測定用添加剤３０１は、尿がボウル部１１１に排出される前に投入されてもよいし、尿がボウル部１１１に排出された後に投入されてもよい。
【００５４】
尿量測定用添加剤３０１は、尿量を測定するときに使用する溜水１１３を着色する。尿量測定用添加剤３０１は、尿の色とは異なる色に溜水１１３を着色する。尿量測定用添加剤３０１が溜水１１３につける色は、例えば尿の色の補色である。尿量測定用添加剤３０１が溜水１１３につける色は、例えば青色である。  
スパウト１２４から吐出した水が尿量測定用添加剤３０１に当たると、尿量測定用添加剤３０１に含まれる成分は、水に溶けロータンク本体１２１の内部に導かれる。これにより、ロータンク本体１２１の内部に導かれた水は、例えば青色に着色される。前述したように、使用者が洗浄ハンドル１２８を回転させると、青色に着色された洗浄水は、配管１３１を通りボウル部１１１に供給され、溜水１１３としてボウル部１１１に溜まる。
【００５５】
なお、尿量測定用添加剤３０１が溜水１１３につける色は、青色には限定されない。また、尿量測定用添加剤３０１は、溜水１１３を予め着色することに限定されず、溜水１１３の中の尿の濃度に応じて溜水１１３の色を変化させてもよい。例えば、尿量測定用添加剤３０１は、尿に含まれる塩素に反応する物質を有し、溜水１１３の中の尿の濃度に応じて溜水１１３を所定の色に呈色する。
【００５６】
尿量測定装置２００は、トイレ装置１００が設置される空間に設置される。図１および図２に表した例では、尿量測定装置２００は、トイレ装置１００が設置されるトイレルームの壁面に設置されている。尿量測定装置２００は、トイレルームの壁面から取り外し可能とされている。例えば使用者は、便器１１０のボウル部１１１に尿を排出し尿量測定装置２００を利用することにより、使用者自身が排出した尿の量（尿量）を測定することができる。
【００５７】
次に、本実施形態にかかる尿量測定装置２００について、図面を参照しつつ説明する。  図３は、本実施形態にかかる尿量測定装置を表す模式的平面図である。  
図４は、本実施形態にかかる尿量測定装置を表すブロック図である。  
図３（ａ）は、尿量測定装置の操作部の側を眺めた模式的平面図である。図３（ｂ）は、尿量測定装置の取得部の側を眺めた模式的平面図である。  
なお、図４に表したブロック図は、尿量測定装置の要部構成の一例であり、必ずしも実際のプログラムモジュールの構成とは一致しない場合がある。
【００５８】
図４に表したように、本実施形態にかかる尿量測定装置２００は、制御装置２１０と、記憶部２２０と、入力部２３０と、取得部２４０と、操作部２５０と、を有する。  
制御装置２１０と、記憶部２２０と、入力部２３０と、取得部２４０と、操作部２５０と、は、ケーシング２０１に内部に設けられ、バス２９０を介して互いに接続されている。
【００５９】
ケーシング２０１は、一般的な便蓋１４１よりも小さい。ケーシング２０１は、便器１１０よりも小さい。例えば、ケーシング２０１は、成人の手の平と略同等の大きさを有する。そのため、使用者は、尿量測定装置２００を持ち運ぶことができる。これにより、使用者は、外出するときに尿量測定装置２００を携帯し、外出先で尿量を測定することができる。
【００６０】
図４に表したハードウェア構成は、一例であり、実施形態に係る制御装置２１０の一部、又は全部を、ＬＳＩ（Large Scale Integration）等の集積回路又はＩＣ（Integrated Circuit）チップセットとして実現してもよい。各機能ブロックについては、個別にプロセッサ化してもよいし、各機能ブロックの一部、又は全部を集積してプロセッサ化してもよい。また、集積回路化の手法については、ＬＳＩに限らず専用回路、又は汎用プロセッサで実現してもよい。本実施形態では、図１および図２に関して前述したトイレ装置１００は、複数の装置が有線又は無線で接続されたシステム構成を例示するが、その一部又は全部を備えた１つの装置として構成されてもよい。
【００６１】
制御装置２１０は、ＣＰＵ（Central Processing Unit）（演算部）２１１と、ＲＯＭ（Read Only Memory）２１３と、ＲＡＭ（Random Access Memory）２１５と、を有し、演算部２１１がＲＯＭ２１３や記憶部２２０に記憶されているプログラムをＲＡＭ２１５に読み出して実行することで、尿量測定装置２００の各部を制御する。
【００６２】
記憶部２２０は、例えばハードディスクやフラッシュメモリなどの記憶装置であり、各種のプログラムやデータを記憶する。本実施形態の記憶部２２０は、尿が溜水１１３に混ざった状態の色に関する情報を予め記憶する。尿が溜水１１３に混ざった状態の色は、尿量に応じて変化する。そのため、記憶部２２０は、尿量に応じて、尿が溜水１１３に混ざった状態の色に関する情報を記憶する。
【００６３】
入力部２３０は、記録媒体Ｍに記録された情報を読み取る。あるいは、入力部２３０は、ＤＶＤ（Digital Versatile Disc）プレーヤやパーソナルコンピュータなどの外部装置から信号を取得する。
【００６４】
取得部２４０は、溜水１１３を含む領域の色に関する情報を取得する。例えば、取得部２４０は、使用者が尿を排出する前の溜水１１３の色に関する情報および使用者が尿を排出した後の溜水１１３の色に関する情報を取得する。取得部２４０は、溜水１１３と非接触の状態で前述した色に関する情報を取得することができる。取得部２４０としては、例えばカメラなどが挙げられる。
【００６５】
操作部２５０は、例えば、ディスプレイに重ねて配置されたタッチパッドや、テンキーなどのボタン、マウスであり、ユーザによる操作の内容に応じた操作信号を制御装置２１０へ送信する。
【００６６】
本実施形態のプログラムは、コンピュータ読取可能な記録媒体Ｍに記録されていてもよい。記録媒体Ｍは、ネットワークに接続されたサーバ等の記憶装置であってもよい。また、本実施形態のプログラムは、ネットワークを介して配信されてもよい。
【００６７】
本実施形態の演算部２１１は、取得部２４０が取得した色に関する情報と、記憶部２２０が予め記憶した色に関する情報と、に基づいて使用者が排出した尿の量を推測する。  
本実施形態によれば、測定器具（本実施形態では尿量測定装置２００）が尿に触れなくとも尿量を簡易的に測定することができる。また、尿量測定装置があれば、専用の便器でなくとも使用者が排出した尿の量を推測することができる。
【００６８】
図５は、本実施形態の尿量測定装置の測定原理を説明する模式的断面図である。  
図５では、トラップ部１１５および膀胱の概略が表されている。
【００６９】
図１および図２に関して前述したように、便器１１０は、ボウル部１１１と、トラップ部１１５と、を有する。図５に表した例は、容量Ｒの尿３１３が使用者の膀胱３１１からボウル部１１１に排泄される場合を表す。トラップ部１１５は、容量Ｑの溜水１１３を形成している。一般的に、膀胱３１１から排泄される尿３１３の瞬間流量は、５０ミリリットル／秒（ｍＬ／ｓ）以下である。そのため、尿３１３が排泄の勢いによりトラップ部１１５の下流側の排水管へ流れることは少ない。図５に表したように、膀胱３１１からボウル部１１１に排泄された尿３１３は、便器１１０の内部に留まる。そのため、溜水１１３の容量Ｑは、略一定に保たれる。
【００７０】
溜水１１３の中の尿３１３の濃度（尿濃度）ηは、次の式で表される。  
η（％）＝Ｒ／Ｑ
尿濃度ηは、色スケールに関連する。そのため、尿量に応じた色スケールの検量線が予め取得されている場合には、尿量を推測することができる。
【００７１】
一般的に、尿３１３の色は、淡黄色である。そのため、色の濃さを表す彩度や、色の明るさを表す明度（グレースケール）により尿量を測定することが望ましい。例えば、溜水１１３が尿量測定用添加剤３０１により青色に着色された場合には、淡黄色の尿３１３が青色の溜水１１３と混ざった状態の色は、略黄緑色になる。この場合には、略黄緑色と補色の関係の赤色のスケール（Ｒスケール）により尿量を測定することが望ましい。あるいは、例えば、溜水１１３が尿量測定用添加剤３０１により青色に着色された場合には、淡黄色の尿３１３が青色の溜水１１３と混ざると、溜水１１３の色の濃さ（彩度）が薄まる。この場合には、溜水１１３の色の彩度が低下する度合いにより尿量を推測することができる。
【００７２】
尿濃度ηは、便器１１０の溜水１１３の量に影響を受ける。便器１１０の溜水１１３の量は、便器１１０の固有値である。そのため、便器１１０の品番情報を取得することができれば、自宅の便器だけではなく外出先の便器を使用した場合でも、尿量の測定結果を補正することができる。つまり、尿量測定装置２００は、便器１１０の品番情報を取得することにより、専用の便器１１０でなくとも使用者が排出した尿の量を推測することができる。
【００７３】
近年では、便器１１０の品番情報は、ＱＲコード（登録商標）により便器１１０に貼付されている。そのため、ＱＲコード（登録商標）が便器１１０に貼付されている場合には、取得部２４０がＱＲコード（登録商標）を読み取ることにより便器１１０の品番に関する情報を取得してもよい。取得部２４０が取得した便器１１０の品番に関する情報は、補正のための根拠の情報として利用される。
【００７４】
図６は、本実施形態にかかる尿量測定方法を表すフローチャート図である。  
まず、例えば被験者や介助者などの使用者等は、検量線の取得を開始する（ステップＳ１０１）。排尿日誌を取得する使用者等は、例えばカップなどに被験者の尿を採取し、被験者の尿の色を確認する（ステップＳ１０３）。使用者等は、被験者の尿の色に合わせてダミー尿を調色する（ステップＳ１０５）。
【００７５】
続いて、使用者等は、検量線を取得するためのダミー尿を計量する（ステップＳ１０７）。人体が排出する尿の平均的な量は、例えば約２００ミリリットル（ｍＬ）以上、３００ｍＬ以下程度である。この平均的な量を参考にし、使用者等は、例えば２００ｍＬ、４００ｍＬ、および６００ｍＬのダミー尿を計量する。
【００７６】
続いて、使用者等は、２００ｍＬのダミー尿を溜水１１３に投入する（ステップＳ１０９）。使用者等は、ダミー尿を溜水１１３に投入する前に、尿量測定用添加剤３０１により溜水１１３を例えば青色などの所定の色に着色していてもよい。あるいは、使用者等は、ダミー尿を溜水１１３に投入した後に、尿量測定用添加剤３０１により溜水１１３を所定の色に着色してもよい。続いて、使用者等は、尿量測定装置２００の取得部２４０により溜水１１３を含む領域の色に関する情報を取得する（ステップＳ１１１）。より具体的には、使用者等は、尿量測定装置２００の取得部２４０により溜水１１３の画像を取得する。
【００７７】
続いて、使用者等は、２００ｍＬのダミー尿を溜水１１３に追加で投入する（ステップＳ１１５）。すなわち、溜水１１３において、合計４００ｍＬのダミー尿が混合される。続いて、使用者等は、尿量測定装置２００の取得部２４０により溜水１１３を含む領域の色に関する情報を取得する（ステップＳ１１７）。より具体的には、使用者等は、尿量測定装置２００の取得部２４０により溜水１１３の画像を取得する。
【００７８】
続いて、使用者等は、２００ｍＬのダミー尿を溜水１１３に追加で投入する（ステップＳ１２５）。すなわち、溜水１１３において、合計６００ｍＬのダミー尿が混合される。続いて、使用者等は、尿量測定装置２００の取得部２４０により溜水１１３を含む領域の色に関する情報を取得する（ステップＳ１２３）。より具体的には、使用者等は、尿量測定装置２００の取得部２４０により溜水１１３の画像を取得する。続いて、使用者等は、例えば洗浄ハンドル１２８を操作し、便器１１０のボウル部１１１の洗浄を行う（ステップＳ１２５）。
【００７９】
続いて、使用者等が尿量測定装置２００の操作部２５０により所定の操作を行うと、演算部２１１は、ダミー尿の投入量と、取得部２４０が取得した色に関する情報と、に基づいて、ダミー尿の投入量に応じた検量線を算出する（ステップＳ１２７）。演算部２１１が算出した検量線は、記憶部２２０に記憶される。このようにして、検量線の取得が終了する（ステップＳ１２９）。
【００８０】
なお、図６に表した例では、ダミー尿を計量し溜水１１３に投入することにより検量線を算出したが、検量線の取得（算出）方法は、これだけには限定されない。  
例えば、使用者等は、ダミー尿ではなく被験者の尿を例えばカップなどに採取して計量し、計量した尿を溜水１１３に投入することにより検量線を算出してもよい。  
あるいは、使用者等は、被験者が尿をボウル部１１１に排出する前の溜水１１３の画像を取得部２４０により取得する。続いて、使用者等は、被験者の排出中の尿あるいはカップなどに採取された尿の画像を取得部２４０により取得する。続いて、尿が溜水１１３に混ざった状態の画像を取得部２４０により取得する。このようにして、使用者等は、検量線を算出してもよい。
【００８１】
図７は、本実施形態にかかる他の尿量測定方法を表すフローチャート図である。  
まず、使用者等は、排尿日誌の取得を開始する（ステップＳ２０１）。続いて、被験者は、ボウル部１１１に形成された溜水１１３に尿を排出する（ステップＳ２０３）。使用者等は、被験者が尿を溜水１１３に排出する前に、尿量測定用添加剤３０１により溜水１１３を例えば青色などの所定の色に着色していてもよい。あるいは、使用者等は、被験者が尿を溜水１１３に排出した後に、尿量測定用添加剤３０１により溜水１１３を所定の色に着色していてもよい。続いて、使用者等は、尿量測定装置２００の取得部２４０により溜水１１３を含む領域の色に関する情報を取得する（ステップＳ２０５）。より具体的には、使用者等は、尿量測定装置２００の取得部２４０により溜水１１３の画像を取得する。
【００８２】
なお、使用者等は、ステップＳ２０３とステップＳ２０５との間において、溜水１１３を攪拌してもよい。この詳細については、後述する。
【００８３】
続いて、使用者等が尿量測定装置２００の操作部２５０により所定の操作を行うと、演算部２１１は、取得部２４０が取得した色に関する情報と、記憶部２２０が予め記憶した色に関する情報と、に基づいて被験者が排出した尿の量を推測する（ステップＳ２０７）。推測された尿量と、推測された日と、は、記憶部２２０に記憶される（ステップＳ２０９）。続いて、使用者等は、例えば洗浄ハンドル１２８を操作し、便器１１０のボウル部１１１の洗浄を行う（ステップＳ２１１）。このようにして、排尿日誌の取得が終了する（ステップＳ２１３）。
【００８４】
続いて、本発明者が行った検討の結果の一例について、図面を参照しつつ説明する。  
図８は、本発明者が行った検討の結果の一例を表す表である。  
図９は、ダミー尿の量に対するＢ（青）のヒストグラムの平均値を表すグラフ図である。
【００８５】
図８の表の第１行目は、取得部２４０により撮影した溜水１１３の画像を表す。図８の表の第２行目は、第１行目の画像をＲ（赤）に分離したヒストグラムを表す。図８の表の第３行目は、第１行目の画像をＧ（緑）に分離したヒストグラムを表す。図８の表の第４行目は、第１行目の画像をＢ（青）に分離したヒストグラムを表す。図８の表の第５行目は、第１行目の画像のＹ（輝度）のヒストグラムを表す。ヒストグラムの横軸は、画素値（光強度）の比率を表す。ヒストグラムの縦軸は、画素値の頻度（画素の個数）の比率を表す。  
図９に表したグラフ図の横軸は、ダミー尿の量（ｍＬ）を表す。図９に表したグラフ図の縦軸は、ヒストグラムの平均値を表す。
【００８６】
本発明者は、尿の色に模した淡黄色のダミー尿を使用し、２００ｍＬ、４００ｍＬおよび６００ｍＬのダミー尿を計量した。２００ｍＬ、４００ｍＬおよび６００ｍＬのダミー尿のそれぞれが溜水１１３に投入されたときの溜水１１３の画像は、図８の表に表した通りである。ダミー尿の量に対するＢ（青）のヒストグラムの平均値は、図９に表したグラフ図の通りである。
【００８７】
図８の表に表した画像によれば、ダミー尿の量が増加すると、溜水１１３の色が濃くなる。ダミー尿の量が０ｍＬの場合と、ダミー尿の量が２００ｍＬの場合と、の間には、溜水１１３の色が明確に変化している。これは、図９に表したグラフ図においても表されている。すなわち、ダミー尿の量が０ｍＬの場合と、ダミー尿の量が２００ｍＬの場合と、の間におけるヒストグラムの平均値の変化率の絶対値は、比較的大きい。
【００８８】
これに対して、ダミー尿の量が２００ｍＬよりも多い場合には、溜水１１３の色の変化が不明確になる。本発明者の目視確認の結果によれば、ダミー尿の量が２００ｍＬよりも多いと、トラップ部１１５の吸い込み口が全体的に薄暗くなった。これにより、溜水１１３の色の変化を明確に区別することが困難になったと考えられる。  
本検討の尿量推測の例は、尿量が少ない場合（例えば２００ｍＬ以下の場合）に有効に利用可能である。
【００８９】
図１０は、本発明者が行った他の検討の結果の一例を表す表である。  
図１１は、ダミー尿の量に対する各色および輝度のヒストグラムの平均値を表すグラフ図である。  
図１０の表のそれぞれの行は、図８の表に関して前述した通りである。図１１に表したグラフ図の横軸および縦軸は、図９に表したグラフ図に関して前述した通りである。
【００９０】
本発明者は、図８および図９に関して前述した検討の結果に基づいて、ダミー尿の量が０ｍＬ以上、２００ｍＬ以下の場合において、さらに詳細に検討を行った。すなわち、本発明者は、尿の色に模した淡黄色のダミー尿を使用し、５０ｍＬ、１００ｍＬ、１５０ｍＬおよび２００ｍＬのダミー尿を計量した。ダミー尿の量以外の条件は、図８および図９に関して前述した検討の条件と同じである。
【００９１】
５０ｍＬ、１００ｍＬ、１５０ｍＬおよび２００ｍＬのダミー尿のそれぞれが溜水１１３に投入されたときの溜水１１３の画像は、図１０の表に表した通りである。ダミー尿の量に対する各色および輝度のヒストグラムの平均値は、図１１に表した通りである。  
図１０の表に表した画像によれば、ダミー尿の量が増加すると、溜水１１３の色が濃くなる。ダミー尿の量が０ｍＬ以上、２００ｍＬ以下の場合において、溜水１１３の色は、ダミー尿の量に応じて変化している。
【００９２】
なお、図１１に表したグラフ図のように、各色に関するヒストグラムの平均値と、ダミー尿の量と、の間の関係は、互いに比例関係とはならなかった。また、輝度に関するヒストグラムの平均値と、ダミー尿の量と、の間の関係は、互いに比例関係とはならなかった。
【００９３】
図１２は、本発明者が行ったさらに他の検討の結果の一例を表す表である。  
図１３は、給水量に対する各色および輝度のヒストグラムの平均値を表すグラフ図である。  
図１２の表のそれぞれの行は、図８の表に関して前述した通りである。図１３に表したグラフ図の横軸は、給水量（ｍＬ）を表す。図１３に表したグラフ図の縦軸は、ヒストグラムの平均値を表す。
【００９４】
本発明者は、ダミー尿として水を使用し、２００ｍＬ、４００ｍＬおよび６００ｍＬの水を計量した。また、本発明者は、尿量測定用添加剤３０１を用いて溜水１１３を青色に着色した。図１および図２に関して前述したように、尿量測定用添加剤３０１は、給水流路の途中に設けられている。２００ｍＬ、４００ｍＬおよび６００ｍＬの水のそれぞれが溜水１１３に供給されたときの溜水１１３の画像は、図１２の表に表した通りである。給水量に対する各色および輝度のヒストグラムの平均値は、図１３に表した通りである。
【００９５】
図１２の表に表した画像によれば、給水量が増加すると、溜水１１３の色相はほとんど変化しない一方で、溜水１１３の青色の濃さ（彩度）が薄くなる。溜水１１３の色の彩度が低下する度合いにより、図１３に表したグラフ図が得られ、尿量を推測することができる。これにより、溜水１１３を着色しない場合と比較して、溜水１１３を着色することにより尿量の推測の精度を向上させることができる。
【００９６】
また、図１３に表したグラフ図によれば、Ｒ（赤）に関するヒストグラムの平均値と、ダミー尿の量と、の間の関係は、互いに比例関係となった。  
尿の色に近い黄色は、色相環において青色と補色の関係にある。そのため、尿は、青色に着色された溜水１１３の彩度を、青色以外の色に着色された溜水１１３の彩度と比較して低下させやすい。これにより、溜水１１３の色（この例では彩度）の変化を区別しやすいため、尿量の推測の精度をさらに向上させることができる。
【００９７】
前述したように、尿量測定用添加剤３０１は、給水流路の途中に設けられている。そのため、溜水１１３は、満遍なく着色される。これにより、溜水１１３の色の変化を区別しやすいため、尿量の推測の精度をさらに向上させることができる。
【００９８】
なお、図１および図２に関して前述したように、尿量測定用添加剤３０１は、溜水１１３を青色に着色することには限定されない。例えば、尿量測定用添加剤３０１は、尿に含まれる塩素に反応する物質を有し、溜水１１３の中の尿の濃度に応じて溜水１１３を所定の色に呈色してもよい。この場合には、呈色される溜水１１３の色を検出することにより、尿量の推測の精度を向上させることができる。
【００９９】
図１４は、本発明者が行ったさらに他の検討の結果の一例を表す表である。  
図１５は、給水量に対する各色および輝度のヒストグラムの平均値を表すグラフ図である。  
図１４の表のそれぞれの行は、図８の表に関して前述した通りである。図１５に表したグラフ図の横軸および縦軸は、図１３に表したグラフ図に関して前述した通りである。
【０１００】
本発明者は、ダミー尿として水を使用し、２００ｍＬ、４００ｍＬおよび６００ｍＬの水を計量した。また、本発明者は、尿量測定用添加剤３０１を用いて溜水１１３を青色に着色した。さらに、本発明者は、ダミー尿としての水を溜水１１３に供給した後に、溜水１１３を攪拌した。給水後の攪拌以外の条件は、図１２および図１３に関して前述した検討の条件と同じである。
【０１０１】
２００ｍＬ、４００ｍＬおよび６００ｍＬの水のそれぞれが溜水１１３に供給されたときの溜水１１３の画像は、図１４の表に表した通りである。給水量に対する各色および輝度のヒストグラムの平均値は、図１５に表した通りである。図１４の表に表した画像によれば、給水量が増加すると、溜水１１３の色相はほとんど変化しない一方で、溜水１１３の色の彩度が低下する。溜水１１３の色の彩度が低下する度合いにより、図１５に表したグラフ図が得られ、尿量を推測することができる。図１２の表の画像と比較すると、図１４の表の画像では、給水量に対する溜水１１３の色（この例では彩度）の変化を明確に区別することができる。また、図１５に表したグラフ図によれば、Ｒ（赤）に関するヒストグラムの平均値と、ダミー尿の量と、の間の関係は、互いに比例関係となった。図１５に表した近似線の傾き（変化率）の絶対値は、図１３に表した近似線の傾き（変化率）の絶対値よりも大きいため、より高精度の測定を期待することができる。
【０１０２】
これにより、水を溜水１１３に供給した後に溜水１１３を攪拌すると、溜水１１３を攪拌しない場合と比較して、給水量に対する溜水１１３の色（この例では彩度）の変化をより明確に区別することができる。そのため、尿量の推測の精度を向上させることができる。
【０１０３】
なお、本検討において、尿量測定用添加剤３０１は、溜水１１３を青色に着色することには限定されない。例えば、尿量測定用添加剤３０１は、尿に含まれる塩素に反応する物質を有し、溜水１１３の中の尿の濃度に応じて溜水１１３を所定の色に呈色してもよい。この場合には、呈色される溜水１１３の色を検出することにより、尿量の推測の精度を向上させることができる。
【０１０４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレ装置１００および尿量測定装置２００などが備える各要素の形状、寸法、材質、配置などやトイレ装置１００における尿量測定装置２００の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１０５】
１００ トイレ装置、  １１０ 便器、  １１１ ボウル部、  １１３ 溜水、  １１５ トラップ部、  １１７ 上面、  １２０ ロータンク、  １２１ ロータンク本体、  １２２ ロータンク蓋、  １２４ スパウト、  １２５ 孔、  １２７ 開閉弁、  １２８ 洗浄ハンドル、  １３１ 配管、  １４１ 便蓋、  １４３ 便座、  ２００ 尿量測定装置、  ２０１ ケーシング、  ２１０ 制御装置、  ２１１ 演算部、  ２１３ ＲＯＭ、  ２１５ ＲＡＭ、  ２２０ 記憶部、  ２３０ 入力部、  ２４０ 取得部、  ２５０ 操作部、  ２９０ バス、  ３０１ 尿量測定用添加剤、  ３１１ 膀胱、  ３１３ 尿
【図１】
2016090296.tif 000003
【図２】
2016090296.tif 000004
【図３】
2016090296.tif 000005
【図４】
2016090296.tif 000006
【図５】
2016090296.tif 000007
【図６】
2016090296.tif 000008
【図７】
2016090296.tif 000009
【図９】
2016090296.tif 000010
【図１１】
2016090296.tif 000011
【図１３】
2016090296.tif 000012
【図１５】
2016090296.tif 000013
【図８】
2016090296.tif 000014
【図１０】
2016090296.tif 000015
【図１２】
2016090296.tif 000016
【図１４】
2016090296.tif 000017